(57)【要約】【課題】タイルを一直線状に正確に揃えて張り付けることが可能な下地板及びタイル張り壁面の施工方法を提供する。【解決手段】柱１に対し複数枚の下地板２をビス等により固定し、壁下地３を構築する。この下地板２の表面に、横方向に延在する溝２ａ〜２ｅが上下方向に一定の間隔をあけて複数条設けられている。隣接する溝同士の間隔はタイル１０を張るピッチと同一になっている。この壁下地３に対し、接着剤を塗着し、コテ等を用いて均して接着剤層４を形成する。該接着剤層４の表面のうち該溝２ａ〜２ｅに対応する箇所に凹部４ａが形成される。この凹部４ａに沿ってタイル１０を張り付ける。【選択図】図１
2007120236.tif 000002
【特許請求の範囲】
【請求項１】
タイル張り壁面の壁下地に用いられる下地板において、
該下地板の表面に、横方向に延在する溝が上下方向に間隔をあけて複数条設けられており、該溝同士の間隔はタイルを張るピッチの自然数分の１であることを特徴とする下地板。
【請求項２】
請求項１において、該溝は奥側に狭くなるＶ字溝であることを特徴とする下地板。
【請求項３】
タイルが壁面に張り付けられてなるタイル張り壁面を施工する方法において、
請求項１又は２の下地板を複数枚並設して壁下地を形成する工程と、
該壁下地の表面に接着剤を塗布して接着剤層を形成する工程と、
該溝に沿ってタイルを張り付ける工程と
を有することを特徴とするタイル張り壁面の施工方法。
【請求項４】
請求項３において、該接着剤層の厚さは０．５〜２ｍｍであることを特徴とするタイル張り壁面の施工方法。
【発明の詳細な説明】
【技術分野】
【０００１】
本発明は、タイル張り壁面の壁下地に用いられる下地板及び該壁下地にタイルを張り付けてなるタイル張り壁面の施工方法に関する。
【背景技術】
【０００２】
従来、下地板を複数枚並設して壁下地を形成し、該壁下地上に接着剤を塗布し、該接着剤の上にタイルを張り付けてなるタイル壁面が知られている（特開平１０−１５９３０４号公報、特開平１１−３４９９１６号公報）。
【特許文献１】特開平１０−１５９３０４号公報
【特許文献２】特開平１１−３４９９１６号公報
【発明の開示】
【発明が解決しようとする課題】
【０００３】
従来、壁下地に接着剤を塗布し、その上にタイルを張り付けるときに、タイルを一直線状に張り付けるための目印が無いため、タイルを一直線状に正確に揃えて張り付けることが困難であった。
【０００４】
本発明は、タイルを一直線状に正確に揃えて張り付けることが可能な下地板及び該下地板を用いたタイル張り壁面の施工方法を提供することを目的とする。
【課題を解決するための手段】
【０００５】
請求項１の下地板は、タイル張り壁面の壁下地に用いられる下地板において、該下地板の表面に、横方向に延在する溝が上下方向に間隔をあけて複数条設けられており、該溝同士の間隔はタイルを張るピッチの自然数分の１であることを特徴とするものである。
【０００６】
請求項２の下地板は、請求項１において、該溝は奥側に狭くなるＶ字溝であり、該溝の深さは２．５〜３．５ｍｍであることを特徴とするものである。
【０００７】
請求項３のタイル張り壁面の施工方法は、タイルが壁面に張り付けられてなるタイル張り壁面を施工する方法において、請求項１又は２の下地板を複数枚並設して壁下地を形成する工程と、該壁下地の表面に接着剤を塗布して接着剤層を形成する工程と、該溝に沿ってタイルを張り付ける工程とを有することを特徴とするものである。
【０００８】
請求項４のタイル張り壁面の施工方法は、請求項３において、該接着剤層の厚さは０．５〜２ｍｍであることを特徴とするものである。
【発明の効果】
【０００９】
本発明の下地板にあっては、該下地板の表面に、横方向に延在する溝が上下方向に間隔をあけて複数条設けられており、該溝同士の間隔はタイルを張るピッチの自然数分の１である。
【００１０】
本発明のタイル張り壁面の施工方法は、この下地板を複数枚並設して壁下地を形成する工程と、該壁下地の表面に接着剤を塗布して接着剤層を形成する工程と、該溝に沿ってタイルを張り付ける工程とを有する。
【００１１】
このように、この下地板の表面に接着剤を塗布して接着剤層を形成すると、該接着剤層のうち下地板の溝が存在する部分に凹みが生じる。この凹みに沿ってタイルを配置して張り付けることにより、タイルを横方向に一直線状に正確に揃えて張り付けることができる。
【００１２】
また、下地板の溝同士の間隔はタイルを張るピッチの自然数分の１であるため、各タイル段毎にタイルを張るための目印となる凹みが生じる。従って、該凹みに沿ってタイルを配置して張り付けることにより、各段毎にタイルを横方向に一直線状に正確に揃えて張り付けることができる。また、タイルのピッチを一定にすることが容易である。
【００１３】
本発明の下地板において、溝は奥側に狭くなるＶ字溝であることが好ましい。この場合、溝の開口部の幅が大きいため、接着剤層を形成したときに凹みの幅も大きくなり、凹みが見易いものとなる。また、溝の奥側に狭いため、接着剤の使用量が少なくて済み、経済的である。
【００１４】
該溝の深さは２．５〜３．５ｍｍであることが好ましく、該接着剤層の厚さは０．５〜２ｍｍ特に０．５〜１．５ｍｍであることが好ましい。
【発明を実施するための最良の形態】
【００１５】
以下、図面を参照して実施の形態について説明する。第１図（ａ）〜（ｃ）は本発明の実施の形態に係るタイル張り壁面の施工方法を説明する断面図、第２図は完成したタイル張り壁面の部分的な斜視図、第３図は第１図の下地板の斜視図である。
【００１６】
第１図（ａ）及び第２図の通り、柱１に対し複数枚の下地板２をビス、釘等により固定し、壁下地３を構築する。
【００１７】
この実施の形態では、下地板２の下縁及び上縁に実部が設けられており、これらの実部を係合させるようにして各下地板２同士が並設されている。
【００１８】
第３図の通り、この下地板２の表面に、横方向に延在する溝２ａ〜２ｅが上下方向に一定の間隔をあけて複数条設けられている。隣接する溝同士の間隔は、後述する通り、タイル１０を張るピッチと同一になっている。
【００１９】
第１図（ａ）及び第３図の通り、上段側のタイル１０の下側に設けられた溝２ｅは下段側のタイル１０の上側に設けられた溝２ａと結合して、奥側に狭いＶ字溝となっている。また、中央側の溝２ｂ〜２ｄは、奥側に狭いＶ字溝となっている。
【００２０】
下地板としては、例えば金属系パネル（例えば鋼板パネル、金属サイディング、鋼板サンドイッチパネルなど）や窯業系サイディングが用いられる。
【００２１】
該溝２ａ〜２ｅの深さは２．０〜５．０ｍｍ特に２．５〜３．５ｍｍであることが好ましい。２．０ｍｍ未満であると該溝２ａ〜２ｅ上に形成される凹部４ａが視認し難くなり、５．０ｍｍを超えると接着剤の使用量が多くなって不経済である。
【００２２】
該溝２ａ〜２ｅの幅は３〜２０ｍｍ特に３〜１０ｍｍであることが好ましい。３ｍｍ未満であると凹部４ａが視認し難い。１０ｍｍを超えると凹部４ａの最深部がブロードになりがちなのでタイルを張りにくくなる。２０ｍｍを超えると接着剤の使用量が多くなって不経済である。
【００２３】
次いで、第１図（ｂ）の通り、この壁下地３に対し、接着剤をくし目コテ等を用いて塗着し、平コテ等を用いて均して接着剤層４を形成する。このとき、壁下地３の表面に溝２ａ〜２ｅが設けられていることから、該接着剤層４の表面のうち該溝２ａ〜２ｅに対応する箇所に凹部４ａが形成される。
【００２４】
接着剤としては、例えば変成シリコーン系弾性接着剤などの弾性接着剤、エポキシ系接着剤、ウレタン系接着剤等が用いられる。該接着剤層４の厚さは０．５〜２ｍｍ特に０．５〜１．５ｍｍであることが好ましい。０．５ｍｍ未満であると接着力が不足し、２ｍｍを超えると凹部４ａが視認し難くなると共に、接着剤の使用量が多くなって不経済である。
【００２５】
凹部４ａが形成される理由としては、接着剤を均す際、溝２ａ〜２ｅにおいて接着剤が溝の深部に沈み込むこと等が考えられる。
【００２６】
その後、この接着剤層４が硬化する前に、第１図（ｃ）のように凹部４ａに沿ってタイル１０を張り付ける。これにより、タイル張り壁面が形成される。
【００２７】
上記実施の形態にあっては、凹部４ａに沿ってタイル１０を張ることにより、タイル１０を横方向に一直線状に正確に揃えて張り付けることができる。また、溝２ａ〜２ｅ同士の間隔はタイル１０を張るピッチと同一になっているため、凹部４ａ同士の間隔もタイル１０を張るピッチと同一になる。このため、タイル１０を各段毎に該凹部４ａに沿って張り付けることにより、各段毎にタイルを横方向に一直線状に正確に揃えて張り付けることができる。また、タイルを一定のピッチで張り付けることが容易である。
【００２８】
本実施の形態では、溝２ａ〜２ｅがＶ字溝であるため、溝の開口部の幅が大きい。このため、接着剤層４を形成したときに凹部４ａの幅も大きくなり、凹部４ａが見易いものとなる。また、溝２ａ〜２ｅはその奥側に狭いため、溝２ａ〜２ｅ内に侵入する接着剤の量が少なくて済み、経済的である。
【００２９】
上記実施の形態は本発明の一例であり、本発明は上記実施の形態に限定されない。例えば、上記実施の形態ではタイル１０の上辺を凹部４ａの下端に沿わせて張り付けたが、タイル１０の上辺を凹部４ａの上端に沿わせて張り付けてもよく、この場合、凹部４ａが目立たなくなり、壁面の美観が良好なものとなる。また、凹部４ａの最深部に沿わせて張り付けてもよい。凹部４ａを跨ぐようにしてタイル１０を張り付けてもよい。
【００３０】
目地空間に目地材を詰めても詰めなくてもよい。詰めた場合、凹部４ａが目視されなくなるので好ましい。
【００３１】
溝２ａ〜２ｅはＶ字形でなくてもよく、例えばコ字形であってもよい。
【００３２】
第１図のタイル１０の代わりに、第４図の如く縦及び横の寸法が該タイル１０の２倍のタイル１０Ａを用いてもよい。この場合、溝２ａ〜２ｅ同士の間隔はタイル１０Ａのピッチの２分の１になる。また、第４図において、タイル１０Ａを溝の間隔分だけ上側又は下側にずらし、タイル１０Ａが隣接する下地板２，３に跨るようにしてタイル１０Ａを張り付けてもよい。さらに、溝２ａ〜２ｅ同士の間隔をタイルのピッチの３分の１、４分の１としてもよく、その他の自然数分の１としてもよい。
【図面の簡単な説明】
【００３３】
【図１】（ａ）〜（ｃ）は本発明の実施の形態に係るタイル張り壁面の施工方法を説明する断面図である。
【図２】完成したタイル張り壁面の部分的な斜視図である。
【図３】第１図の下地板の斜視図である。
【図４】本発明の別の実施の形態に係るタイル張り壁面の施工方法を説明する断面図である。
【符号の説明】
【００３４】
１  柱
２  下地板
２ａ〜２ｅ  溝
３  壁下地
４  接着剤層
４ａ  凹部
１０，１０Ａ  タイル
【図１】
2007120236.tif 000003
【図２】
2007120236.tif 000004
【図３】
2007120236.tif 000005
【図４】
2007120236.tif 000006